(57)【要約】【課題】  メンテナンス時など、シャワーフェイスのみを本体部から取り外せば足りる作業時において、過って固定用ステーから本体部を取り外してしまい、固定用ステーからシャワーの本体部が脱落することを防止すること。【解決手段】  固定式の床散湯シャワー１０において、固定用ステー４と本体部１２とを固定するための第一取付孔５、第一ねじ孔３２（第一孔）が固定用ステー４、本体部１２に各々設けられ、シャワーフェイス１８と、本体部１２及び固定用ステー４とを固定するための取付孔４６、第二取付孔６、第二ねじ孔３３（第二孔）が、シャワーフェイス１８、本体部１２、固定用ステー４に各々設けられ、第一孔が第一ねじ７により、第二孔が第二ねじ８により、それぞれねじ止めされるものであって、シャワーフェイス１８に、第一ねじ７を隠蔽する取付部４４を設けた。    【選択図】    図５
2008136569.tif 000002
【特許請求の範囲】
【請求項１】
本体部とシャワーフェイスとを備え、固定用ステーによって壁面などに固定される固定式のシャワーであって、
前記固定用ステーと前記本体部とを固定するための固定用の第一孔が、固定用ステー及び本体部に設けられ、前記シャワーフェイスと、少なくとも前記本体部又は前記固定用ステーの一方とを固定するための固定用の第二孔が、前記シャワーフェイス、及び、少なくとも前記本体部又は前記固定用ステーの一方に設けられ、前記第一孔が第一ねじにより、前記第二孔が第二ねじにより、それぞれねじ止めされることにより、本体部、シャワーフェイス及び固定用ステーが固定され、
前記シャワーフェイスには、前記第一ねじを隠蔽する隠蔽部を設けたことを特徴とする固定式のシャワー。
【請求項２】
前記本体部内に、弁装置が設けられたことを特徴とする請求項１に記載の固定式のシャワー。
【請求項３】
前記第一ねじが前記シャワーの正面側に設けられたことを特徴とする請求項１または請求項２に記載の固定式のシャワー。
【発明の詳細な説明】
【技術分野】
【０００１】
本発明は、固定式のシャワーに関する。
【背景技術】
【０００２】
固定式のシャワーにおいては、固定用ステーを介して浴室の壁面などにシャワー自体を固定する必要がある。このために、固定式シャワーの本体部と固定用ステーとをねじ止めするものが知られている。また、シャワー内部を清掃するなどメンテナンスなどの必要のために、シャワーの本体部に対して、シャワーフェイスを脱着自在にねじ止めするものが知られている。このように、固定式シャワーの本体部及び固定用ステー、並びに、シャワーフェイス及び本体部などを、それぞれねじ止めするために、シャワーフェイスの正面側において、シャワーフェイスを本体部にねじ止めする際に用いる取付孔、及び、固定用ステーと本体部とをねじ止めする際に用いる取付孔をそれぞれシャワーフェイスに開設する固定式シャワーが用いられていた。なお、出願人においては、このような固定式のシャワーについて調査したが、具体的な文献を発見できなかった。
【発明の開示】
【発明が解決しようとする課題】
【０００３】
このような従来の固定式のシャワーにおいて、メンテナンスなどの必要から、本体部からシャワーフェイスを取り外す際に、シャワーフェイスと本体部などとを固定するねじではなく、過って、本体部と固定用ステーとを固定しているねじを外してしまい、シャワーフェイスのみを本体部から取り外せば足りるメンテナンス作業時に、固定用ステーから本体部を取り外してしまうおそれがあった。よって、このような場合に、固定用ステーから本体部を脱落させてしまうという問題が生じていた。
【０００４】
本発明は上記した従来の固定式シャワーの問題点を解消するものであり、メンテナンス時など、シャワーフェイスのみを本体部から取り外せば足りる作業時において、過って固定用ステーから本体部を取り外してしまい、固定用ステーからシャワーの本体部が脱落することを防止することを目的とする。
【課題を解決するための手段】
【０００５】
以上の課題を解決するために、本発明の採った手段を以下に説明する。本発明の固定式シャワーは、本体部とシャワーフェイスとを備え、固定用ステーによって壁面などに固定される固定式のシャワーであって、前記固定用ステーと前記本体部とを固定するための固定用の第一孔が固定用ステー及び本体部に設けられ、前記シャワーフェイスと、少なくとも前記本体部又は前記固定用ステーの一方とを固定するための固定用の第二孔が、前記シャワーフェイス、及び、少なくとも前記本体部又は前記固定用ステーの一方に設けられ、前記第一孔が第一ねじにより、前記第二孔が第二ねじにより、それぞれねじ止めされることにより、本体部、シャワーフェイス及び固定用ステーが固定され、前記シャワーフェイスには、前記第一ねじを隠蔽する隠蔽部を設けたことを特徴とする固定式のシャワー（請求項１）である。
【０００６】
シャワーフェイスに設けられた隠蔽部により、固定用ステーと本体部とを固定するための固定用の第一ねじが隠蔽されているので、まず最初に、シャワーフェイスと、本体部又は固定用ステーの少なくとも一方を固定する固定用の第二孔をねじ止めする第二ねじを取り外すことにより、はじめて第一ねじが露呈される。よって、第二孔をねじ止めする第二ねじを取り外しても、固定用ステーと本体部とは、依然、第一ねじにより固定されているので、過って固定用ステーから本体部を脱落させることなく、メンテナンス時などにおいてシャワーフェイスのみを確実に取り外すことができる。
【０００７】
第一孔及び第二孔は、本体部などについて一箇所のみ設けられるのではなく、複数以上の箇所に設けても良い。第二孔は、シャワーフェイスと、本体部及び固定用ステーの一方または両方とを固定するもののいずれでも良い。したがって、第二孔は、シャワーフェイスと、本体部及び固定用ステーの一方または両方に設けられることになる。また、第一孔及び第二孔は、ねじが直接螺着されるねじ孔としても良いが、ねじ及び別途に設けるナットなどと共に締結されるものであって、ねじが単に挿通される挿通孔としても良い。また、隠蔽部の形状は第一ねじが隠蔽されるものであれば種々の形状とすることができ、第一孔に取り付けられる第一ねじを取り外すことを不能とする形状に設けられていれば、例えば、第一ねじの一部のみを隠蔽するものでも良い。
【０００８】
また、前記固定式のシャワーにおいて、前記本体部内に、弁装置が設けられたものとすることもできる（請求項２）。
【０００９】
弁装置が本体部内に設けられた場合には、特に、シャワーフェイスを取り外してメンテナンスを行う必要が大きくなるので、本発明はこのようなシャワーに好適である。
【００１０】
また、前記固定式のシャワーにおいて、前記第一ねじが前記シャワーの正面側に設けられた固定式のシャワーに適用することとしても良い（請求項３）。
【００１１】
第一ねじがシャワー正面側に設けられている場合には、特に、メンテナンス時に、この第一孔を過って取り外してしまうおそれがあるので、本発明はこのようなシャワーに好適である。
【発明の効果】
【００１２】
本発明は上記のように、シャワーフェイスに設けられた隠蔽部により、固定用ステーと本体部とを固定するための固定用の第一孔が隠蔽されているので、メンテナンス時など、シャワーフェイスを取り外す際に、第二孔にねじ込まれている第二ねじ孔ではなく、第一孔にねじ込まれている第一ねじ孔を過って取り外し、固定用ステーから本体部を脱落させてしまうおそれが無い。
【発明を実施するための最良の形態】
【００１３】
次に、本発明の固定式のシャワーの実施の形態を図を参考にして詳細に説明する。図１に示すように、本発明の固定式の床散湯シャワー１０は、浴室内のカウンター１内に内蔵されてカウンター１正面側のパネル２の左側寄りに露呈され、浴室内の床面３に向けて取り付けられ、冬季などの気温の低い場合に、床面３に散湯を行って床面３全体を暖めるものである。
【００１４】
図３に示すように、この床散湯シャワー１０は、パネル２裏側に配設される固定用ステー４を介して、カウンター１裏側の壁面（図示省略）に固定されている。図２から図４に示されるように、床散湯シャワー１０には、本体部１２と接続管部１４とが備えられたボデー１６と、本体部１２の正面側に組み付けられたシャワーフェイス１８とが備えられている。また、図２に示すように、シャワーフェイス１８の前面には、カバー２０が嵌合取り付けされている。
【００１５】
図３に示すように、接続管部１４は、本体部１２の背面側の開口部１３から背面右側に沿って延設されており、その端部は湯水混合水栓（図示省略）側に接続され、所定のハンドル操作により、この接続管部１４を通じて本体部１２に湯水が供給されるように設けられている。
【００１６】
上記した開口部１３内には、図３及び図４に示すように、円筒状の台座２２がＯリング２４を介して取り付けられている。台座２２には、先端側の小径部２６と、基端側の大径部２８とが備えられており、大径部２８の外周面の溝内にＯリング２４が装着されている。また、台座２２は、開口部１３奥側の段部１５に係止されて開口部１３内に収容されている。そして、大径部２８の開口部２９内に、円筒状の定流量弁３０が収容保持されている。定流量弁３０は、開口部２９内に圧入可能な外径の円筒状に形成されている。定流量弁３０は、毎分８リットルに流量を抑えることができるものであり、通常の水道管に接続する場合には毎分８リットルの流量を維持することができる。よって、床面３の幅・奥行き・床散湯シャワー１０の設置される高さなどの種々の要因に合わせて、下記に詳述するように散水孔５０，５２，５４，５６の形状などを特定して床面３全体に散湯を行き渡すことを目的とする床散湯シャワー１０において、湯水の流量を一定として、床面３全体に散湯を適切に行き渡すことが可能となる。本実施例においては、このような定流量弁３０を備えているので、特に、シャワーフェイス１８を取り外して、定流量弁３０の清掃などのメンテナンスが要求される。なお、本実施例においては、定流量弁３０を備えたものであるが、他の種類の弁装置、例えば逆止弁などを備えるものとしても良い。
【００１７】
また、図３及び図４に示すように、本体部１２の左右両端部には、第一ねじ孔３２、第二ねじ孔３３が開設された半割長円形状の取付部３４が延設されている。左側の取付部３４にはその下方寄りに、正面視右側の取付部３４にはその上方寄りに、それぞれ１箇所の第一ねじ孔３２が開設されており、また、左側の取付部３４にはその上方寄りに、正面視右側の取付部３４にはその下方寄りに、それぞれ１箇所の第二ねじ孔３３が開設されている。各第一ねじ孔３２は、固定用ステー４に設けられた第一取付孔５に対応する位置に、各第二ねじ孔３３は、固定用ステー４に設けられた第二取付孔６に対応する位置に、それぞれ開設されている。また、第二ねじ孔３３は、後述するシャワーフェイス１８の取付孔４６とも対応する位置に開設されている。そして、第一ねじ７が、固定用ステー４の第一取付孔５から取付部３４の第一ねじ孔３２に螺着されて、固定用ステー４にボデー１６が固定されている。
【００１８】
また、本体部１２の背面側内部の開口部２９よりも右側には、後述するシャワーフェイス１８を組み付けた際に、その干渉突部４３が収容される凹部３６が形成されており、一方、左側には、図１８にも示すように、凹部３６よりも正面寄りに形成されてシャワーフェイス１８を左右反対の向きにボデー１６に組み付ける際には干渉突部４３と干渉して組み付けを不能とする干渉部３８が形成されている。このような干渉突部４３及び干渉部３８を設けることにより、下記に詳述するように散水孔５０，５２，５４，５６の形状などを特定して床面３全体に散湯を行き渡すことを目的とする床散湯シャワー１０において、シャワーフェイス１８を組み付け間違えることにより当初予定される散湯方向が狂ってしまい、組み付け直しの必要が生ずることを確実に防止することができる。また、本例では干渉突部４３は、後述するシャワーフェイス１８のフェイス部４０に沿って立設される側壁４２からさらに突設されるように形成されており、本体部１２に正規の向きに組み付けられた際に、本体部１２内の流路中央付近などに突出されることが無く、流路内の湯水の流れを妨げるおそれも無い。また、特に、適宜にメンテナンスを必要とする定流量弁３０を内蔵する床散湯シャワー１０の場合に、このように組み付け間違いを防止する干渉部３８及び干渉突部４３を設けることは有効である。
【００１９】
次いでシャワーフェイス１８について説明する。図５に示すように、シャワーフェイス１８は、正面視がほぼ横長の長方形状に形成され、図３に示すように、そのフェイス部４０を底面としてその外周に沿って周回状に立設される側壁４２を備えた全体形状とされている。また、フェイス部４０の正面視右側裏の側壁４２には、さらにフェイス部４０背面側に突設された干渉突部４３が突設されている。フェイス部４０の左右両側には、図５に示すように、ボデー１６及び固定用ステー４にねじ止め固定するための取付孔４６が設けられた取付部４４が延設されている。取付部４４は、ほぼ長方形状に形成されており、正面視左側の取付部４４にはその上方寄りに、正面視右側の取付部４４にはその下方寄りに、それぞれ１箇所の取付孔４６が開設されている。また、正面視左側の取付部４４にはその下方寄り裏側に、正面視右側の取付部４４にはその上方寄り裏側に、それぞれ裏側に配設されるねじ７の頭が収容される収容空間４７が設けられている。各取付孔４６は、ボデー１６の第二ねじ孔３３及び固定用ステー４の第二取付孔６に対応する位置に開設されている。そして、第二ねじ８が、この取付孔４６及び固定用ステー４の第二取付孔６に正面側から順に挿通され、ボデー１６の取付部３４の第二ねじ孔３３に螺着されて、固定用ステー４及びボデー１６に対して、シャワーフェイス１８が固定されている。
【００２０】
なお、本体部１２の第一ねじ孔３２、及び固定用ステー４の第一取付孔５が、本発明に言う「第一孔」に相当し、本体部１２の第二ねじ孔３３、固定用ステー４の第二取付孔６、及びシャワーフェイス１８の取付孔４６が「第二孔」に相当する。本実施例では、上記したシャワーフェイス１８の取付部４４の背面に第一孔に相当する本体部１２の第一ねじ孔３２、及び固定用ステー４の第一取付孔５を左右各１箇所ずつ設けたが、他の位置に設けたり、複数箇所以上に設けることとしても良い。
【００２１】
また、上記したように、シャワーフェイス１８の取付部４４は、取付孔４６のみが開設されており、「第一孔」に相当する本体部１２の第一ねじ孔３２、及び固定用ステー４の第一取付孔５は正面側に露呈させず、すなわち第一ねじ７を隠蔽する「隠蔽部」に相当するものである。本実施例においては、隠蔽部に相当する取付部４４が、「第一孔」である本体部１２の第一ねじ孔３２、及び固定用ステー４の第一取付孔５を隠蔽するような長方形状に形成されているが、この形状に限られず、第一ねじ７を隠蔽する位置・形状などに形成されれば、他の位置・形状とすることができる。特に、複数箇所以上の第一孔を設けた場合には、それぞれの第一孔に取り付けられる第一ねじをすべて隠蔽することが良い。
【００２２】
図３に示すように、取付部４４はフェイス部４０よりも背面寄り延設されているが、図３及び図５に示すように、フェイス部４０の左右両側には、フェイス部４０よりも僅かに取付部４４側に正面視円弧状の外径を備えて形成された当接段部４８が設けられている。そして図２及び図１６に示すように、カバー２０がシャワーフェイス１８に嵌合取り付けされた場合には、カバー２０の内孔２１の左右両側周縁部内側面が、この当接段部４８の前面によって当接されて、カバー２０の左右両側周縁部の内側方向への撓みを防止するように構成されている。
【００２３】
次いでフェイス部４０について詳細に説明する。図２に示すように、フェイス部４０には、上下方向において四列に配置された散水孔５０，５２，５４，５６が多数形成されている。これらの散水孔５０，５２，５４，５６は、上下方向において下寄りの散水孔ほど、下方に向けた角度に散水が吐出されるように、その形状・角度・噴き出し口面角度が形成されている。具体的には、図６に示すように、上側第一列目の散水孔５０は、上下方向においては、水平方向より僅かに下方に向けて散水が吐出されるようにその形状・角度・噴き出し口面角度が形成されている。フェイス部４０の正面部４１の正面視左側の１０個の散水孔５０については、正面部４１に直交する方向から約１１度下方に向けて散水が吐出されるように形成されており、より具体的には、散水孔５０裏面側の形状は、下部がフェイス部４０の正面部４１の正面側に直交する方向に形成され、この下部に対して上部は後方が広がるように約２２度傾斜して形成され、側面視扇形に形成されている。このように、散水孔５０を扇形に形成するとともに、その上下端の一方を正面部４１に直交する方向に形成することにより、型抜きに支障を来さないようにすることができるとともに、傾斜角度の約２分の１である約１１度の角度で散水を吐出することができる。
【００２４】
また、それぞれの散水孔５０のフェイス部４０表側の噴き出し口５８は、散水孔５０の散水の吐出角度である約１１度下方に傾斜した、正面部４１奥側に約０．５ｍｍの深さに、直径３ｍｍの仮想円柱形状の一部を形成するように削り取られた形状とされており、すなわち、その奥側底面が、フェイス部４０の正面部４１に直交する方向に対して約１１度下方に向けられた形状とされている。このように、散水孔５０の表側の噴き出し口５８について、仮想円柱形状に噴き出し口５８を削り取るように形成することにより、上記のようにフェイス部４０裏側の散水孔５０の形状により定められる散水方向に正対しない角度の散水孔５０表側の噴き出し口５８の開口部によって散水が干渉されて、散水孔５０の形状によって予定される角度とは異なる角度に吐出されてしまうことを防止することができる。
【００２５】
また、散水孔５０が予定する散水角度に噴き出し口５８の底面の角度に応じて、仮想円柱形状に噴き出し口５８の向きを定めることにより、フェイス部４０裏側の散水孔５０の形状により定められる散水方向に正対しない角度の散水孔５０表側の噴き出し口の開口部による散水への干渉を、さらに減少させることができる。
【００２６】
また、図示は省略するが、上側第一列目の散水孔５０のうちの正面視右側の残りの２個の散水孔５０については、水平方向から約１４度下方に向けて散水が吐出されるように形成されており、具体的には、散水孔５０裏面側の形状は、下部がフェイス部４０の正面部４１に直交する方向に形成され、この下部に対して上部は後方が広がるように約２８度傾斜して形成され、側面視扇形に形成されている。そして上記した散水孔５０と同様に、それぞれの散水孔５０のフェイス部４０表側の噴き出し口５８は、正面部４１に直交する方向から、散水孔５０の散水の吐出角度である約１４度下方に傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約１４度下方に向けられた形状とされている。
【００２７】
次いで、上側第二列目の散水孔５２は、第一列目の散水孔５０よりもやや下方に、水平方向から約３３度下方に向けて散水が吐出されるように、その形状・角度・噴き出し口面角度が形成されている。具体的には、散水孔５２裏面側の形状は、下部が、正面部４１に直交する方向に形成され、この下部に対して上部は後方が広がるように約６６度傾斜して形成され、側面視扇形に形成されている。そして、それぞれの散水孔５２のフェイス部４０表側の噴き出し口６０は、正面部４１に直交する方向から、散水孔５２の散水の吐出角度である約３３度下方に傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約３３度下方に向けられた形状とされている。
【００２８】
また、図７に示すように、第三列目の散水孔５４は、第二列目の散水孔５２よりもさらに下方に、水平方向から約３７度下方に向けて散水が吐出されるように、その形状・角度・噴き出し口面角度が形成されている。具体的には、散水孔５４裏面側の形状は、下部がフェイス部４０の正面部４１に直交する方向に形成され、この下部に対して上部は後方が広がるように約７４度傾斜して形成され、側面視扇形に形成されている。そして、それぞれの散水孔５４のフェイス部４０表側の噴き出し口６２は、正面部４１に直交する方向から、散水孔５４の散水の吐出角度である約３７度下方に向けて傾斜した、正面部４１奥側に約０．５ｍｍの深さに、直径３ｍｍの仮想円柱形状の一部を形成するように削り取られた形状に形成されており、すなわち、その奥側底面が、フェイス部４０正面側に対して約４０度下方に向けられた形状とされている。
【００２９】
そして、第四列目の散水孔５６は、第二列目の散水孔５２よりもさらに下方に、水平方向から約６５度下方に向けて散水が吐出されるように、その形状・角度・噴き出し口が形成されている。散水孔５６については、側面視は、フェイス部４０の正面部４１に直交する方向に対して約６５度下方に向けて下さがりに傾いたほぼ長方形状に形成されており、その噴き出し口６４は、フェイス部４０の正面部４１に対して約６５度下方に向けて傾斜したフェイス部４０の傾斜部４５にそのまま開口されている。
【００３０】
また、水平方向においては、上下方向最下列の散水孔５６を除いて、正面視左端に位置する散水孔５０，５２，５４は床散湯シャワー１０の正面に正対する方向に吐出され、これより正面視右寄りの散水孔５０，５２，５４は、より右側に位置する散水孔５０，５２，５４ほど右側に角度を強めて吐出されるように形成されている。すなわち、散水孔５０，５２，５４は、それぞれ、右壁面が正面部４１と正対する方向に沿って形成されているが、一方で左壁面は、右寄りに行くにしたがって、その正面側がフェイス部４０の正面部４１の右方向に向けて順に角度を強めるように形成されている。また、それぞれの噴き出し口５８，６０，６２は、正面部４１奥側に約０．５ｍｍの深さに、直径３ｍｍの仮想円柱形状の一部を形成するように削り取られた形状に形成されている。さらにまた、これらの噴き出し口５８，６０，６２の一部については、その軸心を右側に向けた仮想円柱形状の一部を形成するように削り取られた形状に形成されている。
【００３１】
各散水孔５０，５２，５４，５６は、水平方向において、その形状などが以下のように形成されている。図８及び図９に示すように、上下方向第一列目の散水孔５０については、正面視左端の散水孔５０はその左壁面及び右壁面が共に正面部４１と正対する方向に沿って形成されているが、これより右側の散水孔５０は、その右壁面が正面部４１と正対する方向に沿って形成されると共に、左壁面は、その正面側がフェイス部４０の正面部４１の右方向に向けて順に、５度、１０度、１５度、２０度、２５度、３０度、４０度、５０度、５５度、６５度、７０度の角度を付けて平面視扇形に形成されている。そして、これらの散水孔５０は左から順に、正面部４１と正対する方向に対して、正面視右側に向けて、０度、２．５度、５度、７．５度、１０度、１２．５度、１５度、２０度、２５度、２７．５度、３２．５度、３５度の角度で散水が吐出されるように設けられている。
【００３２】
また、図９に、図８に示す左端から３つの散水孔５０を拡大して示すように、各散水孔５０の噴き出し口５８は、その軸心が正面部４１に正対する方向に向けて、正面部４１奥側に約０．５ｍｍの深さに、直径３ｍｍの仮想円柱形状の一部を形成するように削り取られた形状に形成されている。
【００３３】
図１０及び図１１に示すように、上下方向第二列目の散水孔５２については、正面視左端の散水孔５２はその左壁面及び右壁面が共に正面部４１と正対する方向に沿って形成されているが、これより右側の散水孔５２は、その右壁面が正面部４１と正対する方向に沿って形成されると共に、左壁面は、その正面側がフェイス部４０の正面部４１の右方向に向けて順に、５度、１０度、１５度、２０度、２５度、３０度、４０度、５０度、５５度、６５度、７５度の角度を付けて平面視扇形に形成されている。そして、これらの散水孔５２は左から順に、正面部４１と正対する方向に対して、正面視右側に向けて、０度、２．５度、５度、７．５度、１０度、１２．５度、１５度、２０度、２５度、２７．５度、３２．５度、３７．５度の角度で散水が吐出されるように設けられている。
【００３４】
また、各散水孔５２の噴き出し口６０は、上記したように、正面部４１奥側に約０．５ｍｍの深さに、直径３ｍｍの仮想円柱形状の一部を形成するように削り取られた形状に形成されている。そして、左寄りの３つの噴き出し口６０については、その軸心が正面部４１に正対する方向に向けて仮想円柱形状の一部を形成するように削り取られた形状に形成されており、左寄りの４つ目から６つ目の噴き出し口６０については、その軸心が正面部４１に正対する方向に対して、約１５度右向きにその軸心が定められた仮想円柱形状の一部を形成するように削り取られた形状に形成されている。そして、図１１にもその一部を拡大して示すように、右寄りの残る６つの噴き出し口６０は、正面部４１に正対する方向に対して、約３０度右向きにその軸心が定められた仮想円柱形状の一部を形成するように削り取られた形状に形成されている。
【００３５】
図１２及び図１３に示すように、上下方向第三列目の散水孔５４については、正面視左端の散水孔５４はその左壁面及び右壁面が共に正面部４１と正対する方向に沿って形成されているが、これより右側の散水孔５４は、その右壁面が正面部４１と正対する方向に沿って形成されると共に、左壁面は、その正面側がフェイス部４０の正面部４１の右方向に向けて順に、１０度、２０度、３０度、４０度、４０度、５０度、５５度、６５度、８０度の角度を付けて平面視扇形に形成されている。そして、これらの散水孔５４は左から順に、正面部４１と正対する方向に対して、正面視右側に向けて、０度、５度、１０度、１５度、２０度、２０度、２５度、２２．５度、３２．５度、４０度の角度で散水が吐出されるように設けられている。
【００３６】
また、各散水孔５４の噴き出し口６２は、上記したように、正面部４１奥側に約０．５ｍｍの深さに、直径３ｍｍの仮想円柱形状の一部を形成するように削り取られた形状に形成されている。そして、左寄りの３つの噴き出し口６２については、その軸心が正面部４１に正対する方向に向けて仮想円柱形状の一部を形成するように削り取られた形状に形成されており、左寄りの４つ目から６つ目の噴き出し口６２については、その軸心が正面部４１に正対する方向に対して、約３０度右向きにその軸心が定められた仮想円柱形状の一部を形成するように削り取られた形状に形成されている。そして、図１３にもその一部を拡大して示すように、右寄りの残る４つの噴き出し口６２は、正面部４１に正対する方向に対して、約６０度右向きにその軸心が定められた仮想円柱形状の一部を形成するように削り取られた形状に形成されている。
【００３７】
そして図１４に示すように、上下方向最下列、第四列目の８つの散水孔５６については、いずれもフェイス部４０の正面部４１及び底面部４５の左右方向に正対する方向に沿って、形成されている。
【００３８】
このように各散水孔５０，５２，５４，５６などが設けられた床散湯シャワー１０では、図１及び図１９に示すように、より上方の散水孔からは、床散湯シャワー１０からより遠い床面３の位置に向けた角度で噴水が吐出され、より下方の散水孔からは床散湯シャワー１０により近い床面３の位置に向けた角度で噴水が吐出される。また、最下列の散水孔５６を除いて、床散湯シャワー１０の配設位置から右側に広がる床面３に対して、右寄りの散水孔５０，５２，５４からは右寄りに向けて噴水が吐出される。このようにして、床面３全体に散水を行き渡らせることができる。
【００３９】
次いでカバー２０について説明する。図１５及び図１６に示すように、カバー２０は、正面視が、ほぼ横長の長方形状に形成されるとともに、中央に、シャワーフェイス１８のフェイス部４０を露呈する内孔２１が開口されている。内孔２１は、フェイス部４０の外径とほぼ同形状に形成されている。また、図１６に示すように、内孔２１周縁部からシャワーフェイス１８端部にかけて背面寄りに傾斜される底部７０が設けられ、この底部７０の端部から背面側に向けて、側壁部７２が周設されている。また、シャワーフェイス２１の下端部には、シャワーフェイス１８に嵌合される際に、嵌合を容易に行わせるための切り欠き１９が２箇所形成されている。
【００４０】
そして、上記したように、カバー２０がシャワーフェイス１８に取り付けられた際には、フェイス部４０の左右両横に形成された当接段部４８によって内孔２１の左右周縁部が内側から当接され、内孔２１周縁部が外側から押された際などにも、内側に撓んだりしないように構成されている。
【００４１】
上記のように構成された床散湯シャワー１０は、下記のように組み立てる。まず、本体部１２の接続管部１４を湯水混合水栓に接続される配管（図示省略）に接続する。次いで、本体部１２を、浴室の壁面などにあらかじめ固定しておいた固定用ステー４にねじ止めする。図４及び図１７に示すように、取付部３４を固定用ステー４の裏面側に配置させて、固定用ステー４の第一取付孔５から、本体部１２の左右の取付部３４に形成された第一ねじ孔３２にそれぞれ、ねじ７をねじ込む。この状態で、本体部１２は、カウンター１のパネル２に開口された取付口９に位置される。次いで、シャワーフェイス１８を、固定用ステー４及び本体部１２に固定する。図５及び図１７に示すように、取付部４４を固定用ステー４の表面側に配置させて、左右の取付孔４６及び固定用ステー４の第二取付孔６に挿通して、本体部１２の第二ねじ孔３２に、それぞれ、ねじ８をねじ込む。この際に、図１７及び図３に示すように、シャワーフェイス１８の向きが正しければ、干渉突部４３は本体部１２の凹部３６内に収容され、ねじ８のねじ止めを可能とするが、図１８に示すように、シャワーフェイス１８の左右の向きを間違えて組み付けようとすると、干渉突部４３が本体部１２の干渉部３８に干渉されて、ねじ８によるねじ止めを不能とする。そして、シャワーフェイス１８を固定した後に、カバー２０をシャワーフェイス１８に嵌合取り付けして、床散湯シャワー１０の組み立て及び取付が終了する。
【００４２】
このような床散湯シャワー１０のメンテナンス時には、以下のように、シャワーフェイス１８などを取り外す。まず最初に、シャワーフェイス１８に嵌合取り付けされているカバー２０を、パネル２正面から取り外す。カバー２０を取り外すと、その裏側に、図３及び図５に示すように、シャワーフェイス１８の正面側が露呈される。次いで、このシャワーフェイス１８の取付孔４６に取り付けられている第二ねじ８をそれぞれ取り外す。第二ねじ８は、左右の取付部４４にそれぞれ１箇所ずつ設けられているが、シャワーフェイス１８が取り付けられているこの状態では、取付部４４に隠蔽されて、第一ねじ７を取り外すことはできないように構成されている。そして、第二ねじ８を取り外して、シャワーフェイス１８も取り外すと、図４に示すように、本体部１２内部が正面側に露呈される。しかしながら、第一ねじ７は依然として固定用ステー４及び本体部１２を固定しているので、固定用ステー４から本体部１２が脱落するなどのおそれはない。そしてこの状態で、例えば、定流量弁３０の清掃を行うのであれば、定流量弁３０を固定している台座２２を取り外して行う。メンテナンス終了後には、シャワーフェイス１８、カバー２０の順に組み付けて、元の状態に戻す。なお、上記の通り、メンテナンス後のシャワーフェイス１８の組付の際にも、その向きが正しくなければ、干渉部３８と干渉突部４３が干渉して組付を不能とする。
【００４３】
なお、本発明は上記した実施の形態に限られるものではなく、本発明の趣旨の範囲内で種々の変更が可能である。例えば、固定用ステー４にねじ孔を形成し、本体部１２の取付部４４には挿通孔を形成するとともに、正面側から、シャワーフェイス１８、本体部１２の取付部４４、固定用ステー４の順に重ね合わせて、最も背面側の固定用ステー４のねじ孔に第一ねじ７、第二ねじ８を螺着することとしても良い。また、図２０に示す第二の実施例のように、「第一孔」または「第二孔」の一部をねじ孔とすることなく、全て挿通孔として、これらの各孔に正面側から挿通した第一ねじ７、第二ねじ８に裏面側から締結されるナット７４と各ねじ７，８とによって、固定用シャワー４及び本体部１２、並びに、シャワーフェイス１８、固定用シャワー４及び本体部１２を固定することとしても良い。
【図面の簡単な説明】
【００４４】
【図１】本発明のシャワーを配設した浴室カウンターの斜視図である。
【図２】本発明のシャワーの正面図である。
【図３】カバーを除いたシャワーの横断面図である。
【図４】固定用ステー及び本体部の正面図である。
【図５】シャワーフェイスの正面図である。
【図６】図５のシャワーフェイスのＪ−Ｋ−Ｌ−Ｊ線断面図である。
【図７】図５のシャワーフェイスのＧ−Ｇ線断面図である。
【図８】図６のシャワーフェイスのＳ−Ｓ線断面図である。
【図９】図８のシャワーフェイスの一部拡大断面図である。
【図１０】図６のシャワーフェイスのＴ−Ｔ線断面図である。
【図１１】図１０のシャワーフェイスの一部拡大断面図である。
【図１２】図７のシャワーフェイスのＵ−Ｕ線断面図である。
【図１３】図１２のシャワーフェイスの一部拡大断面図である。
【図１４】図６のシャワーフェイスのＶ−Ｖ線断面図である。
【図１５】カバーの正面図である。
【図１６】カバーを取り付けた床散湯シャワーの横断面図である。
【図１７】シャワーフェイス、固定用ステー、本体部の分解横断面図である。
【図１８】シャワーフェイスを左右逆向きに配置した状態を示す、シャワーフェイス、固定用ステー、本体部の分解横断面図である。
【図１９】シャワーの平面図である。
【図２０】カバーを除いた第２の実施例に係るシャワーの横断面図である。
【符号の説明】
【００４５】
１；カウンター、２；パネル、３；床面、４；固定用ステー、５；第一取付孔、６；第二取付孔、７；第一ねじ、８；第二ねじ、９；取付口、１０；床散湯シャワー、１２；本体部、１３；開口部、１４；接続管部、１５；段部、１６；ボデー、１８；シャワーフェイス、１９；切り欠き、２０；カバー、２１；内孔、２２；台座、２４；Ｏリング、２６；小径部、２８；大径部、２９；開口部、３０；定流量弁、３２；第一ねじ孔、３３；第二ねじ孔、３４；取付部、３６；凹部、３８；干渉部、４０；フェイス部、４１；正面部、４２；側壁、４３；干渉突部、４４；取付部、４５；傾斜部、４６；取付孔、４７；収容空間、４８；当接段部、５０，５２，５４，５６；散水孔、５８，６０，６２，６４；噴き出し口、７０；底部、７２；側壁部、７４；ナット。
【図１】
2008136569.tif 000003
【図２】
2008136569.tif 000004
【図３】
2008136569.tif 000005
【図４】
2008136569.tif 000006
【図５】
2008136569.tif 000007
【図６】
2008136569.tif 000008
【図７】
2008136569.tif 000009
【図８】
2008136569.tif 000010
【図９】
2008136569.tif 000011
【図１０】
2008136569.tif 000012
【図１１】
2008136569.tif 000013
【図１２】
2008136569.tif 000014
【図１３】
2008136569.tif 000015
【図１４】
2008136569.tif 000016
【図１５】
2008136569.tif 000017
【図１６】
2008136569.tif 000018
【図１７】
2008136569.tif 000019
【図１８】
2008136569.tif 000020
【図１９】
2008136569.tif 000021
【図２０】
2008136569.tif 000022